(57)【要約】【課題】構造が簡単であり、投入されたコインの数量を簡単に確認でき、貯まったコインの金額を容易に知ることができる貯金箱を提供する。【解決手段】複数のコイン１００を上下方向に一列に重ねて収納可能なコイン収納部１１Ａ〜１１Ｄが複数形成されてなるコインケース本体１０と、コインケース本体１０の上部に配設されてなり、コイン収納部１１Ａ〜１１Ｄにコイン１００を投入可能な投入口５１Ａ〜５１Ｄが形成された蓋体５０を備え、コイン収納部１１Ａ〜１１Ｄは、コインケース本体１０の略中央部を中心として放射状に各々配置され、コイン収納部１１Ａ〜１１Ｄの底面１２Ａ〜１２Ｄは、コインケース本体１０の略中央部から、当該略中央部とは離れた側壁１３に向けて傾斜してなる貯金箱１である。【選択図】図４
2010088547.tif 000002
【特許請求の範囲】
【請求項１】
内部に、複数のコインを上下方向に少なくとも一列に重ねて収納可能なコイン収納部が複数形成されてなるコインケース本体と、
前記コインケース本体の上部に配設されてなり、前記各々のコイン収納部にコインを投入可能な投入口が形成された蓋体と、
を備え、
前記各々のコイン収納部は、前記コインケース本体の略中央部を中心として放射状に各々配置され、当該コイン収納部の底面は、当該コインケース本体の略中央部から、当該略中央部とは離れた側壁に向けて傾斜してなる貯金箱。
【請求項２】
前記コインケース本体及び蓋体の少なくとも一方が透過性を有する部材から形成されてなる請求項１記載の貯金箱。
【請求項３】
前記各々のコイン収納部を仕切る仕切部をさらに備えた請求項１または請求項２記載の貯金箱。
【請求項４】
前記コイン収納部の底面は、当該コインケース本体の略中央部が高く、当該略中央部とは離れた側壁側が低くなるよう傾斜してなる請求項１ないし請求項３のいずれか一項に記載の貯金箱。
【請求項５】
前記コイン収納部の底面は、当該コインケース本体の略中央部が低く、当該略中央部とは離れた側壁側が高くなるよう傾斜してなる請求項３記載の貯金箱。
【請求項６】
前記蓋体は、前記各々のコイン収納部に対向する部分が、前記底面の傾斜角度と略同一の角度で傾斜してなる請求項１ないし請求項５のいずれか一項に記載の貯金箱。
【請求項７】
前記蓋体は、前記コインケース本体に対し着脱可能に取付けられてなる請求項１ないし請求項６のいずれか一項に記載の貯金箱。
【請求項８】
前記蓋体は、前記コインケース本体に取付けられた位置を基準として、当該蓋体の略中心部を支点として所定角度回転させて、当該コインケース本体に取付け可能であり、当該蓋体を所定角度回転させて当該コインケース本体に取付けることで、前記投入口は、各々のコイン収納部にコインを投入可能となる請求項７記載の貯金箱。
【請求項９】
前記コイン収納部に収納されたコインが、前記投入口から外部に排出されることを防止する排出防止フックをさらに備えた請求項１ないし請求項８のいずれか一項に記載の貯金箱。
【発明の詳細な説明】
【技術分野】
【０００１】
本発明は、貯金箱にかかり、投入されたコインの数量を外観から確認可能であり、貯まった金額を簡単に知ることができる貯金箱に関する。
【背景技術】
【０００２】
従来から、例えば、１０円玉、１００円玉、５００円玉等のコインを貯える貯金手段として、複数のコインを貯えるための容器（コインケース）にコインを投入するための開口が形成された貯金箱がある。また、特定のコインを目的枚数分貯えた際に貯金箱が一杯となるように容量が設定された貯金箱も紹介されている。この貯金箱によれば、各人が貯めようとするコインの種類と、目標とする貯金額を考慮した上で貯金箱を選択購入することができる。
【０００３】
また、近年では、中空部を備え複数のコインを収納可能なコインケースと、このコインケースに連結されコインケースの重量変化に応じて伸縮する重量測定手段としての弾性部材と、この弾性部材の伸縮に応じて移動する指針及びこの指針が指示する表示目盛とからなる収納量表示手段を備えて構成され、前記表示目盛を各種類のコインにそれぞれ適応するよう複数設け、貯金目的のコイン種類に応じて交換可能に構成した収納量表示貯金箱も紹介されている（例えば、特許文献１参照）。
【０００４】
そしてまた、メダルの整列収容を容易に実現できるメダル収容容器として、遊技機で利用されるメダルを収容する凹状部の底面に設けられた傾斜部と、側壁に設けられた円弧部とを有し、これら傾斜部及び円弧部に沿って前記メダルが前記凹状部内にて水平に積層可能となっており、前記傾斜部は、前記凹状部の底面中央から側壁の前記円弧部に向かって下り傾斜して設けられ、前記円弧部は、水平に積層された際の前記メダルの外縁に合わせた円弧形状を前記凹状部の側壁高さ方向に沿って持つと共に、側壁幅方向に複数連続して設けられたメダル収容容器が紹介されている（例えば、特許文献２参照）。
【特許文献１】特開２００２−３４５５２２号公報
【特許文献２】特開２００７−２２２３０８号公報
【発明の開示】
【発明が解決しようとする課題】
【０００５】
しかしながら、特許文献１に記載された収納量表示貯金箱は、コインの重量がコインの種類によって異なることを利用し、各コインの一枚当たりの重量によって弾性部材が縮む（下降する長さ）を測定し、各コインに適応する表示目盛をそれぞれ形成することで、収納量表示貯金箱内に投入された金額を明確に表示しているため、構成が複雑であり、コストもかかる。
【０００６】
また、特許文献２に記載されたメダル収容容器は、メダルの整列収容を容易に実現できるが、貯金箱としての構成は有していない。
【０００７】
本発明は、このような事情に鑑みなされたものであり、構造が簡単であり、投入されたコインの数量を簡単に確認でき、貯まったコインの金額を容易に知ることができる貯金箱を提供することを目的とする。
【課題を解決するための手段】
【０００８】
この目的を達成するため本発明は、内部に、複数のコインを上下方向に少なくとも一列に重ねて収納可能なコイン収納部が複数形成されてなるコインケース本体と、前記コインケース本体の上部に配設されてなり、前記各々のコイン収納部にコインを投入可能な投入口が形成された蓋体とを備え、前記各々のコイン収納部は、前記コインケース本体の略中央部を中心として放射状に各々配置され、当該コイン収納部の底面は、当該コインケース本体の略中央部から、当該略中央部とは離れた側壁に向けて傾斜してなり、前記投入口の少なくとも一部は、前記底面の傾斜角度と略同一の角度で傾斜する傾斜面によって画定されてなる貯金箱を提供するものである。
【０００９】
この構成を備えた貯金箱は、複数のコインを上下方向に少なくとも一列に重ねて収納可能なコイン収納部を有しているため、コイン収納部の底面の形状及び大きさを、特定のコインの円形とほぼ同様となるように設計すれば、コイン１種類を収容する貯金箱として使用することができる。また、各々のコイン収容部の底面の形状及び大きさを、各々異なったコインの円形とほぼ同様となるように設計すれば、コイン収容部毎に、特定のコインを収容する貯金箱として使用することができる。そしてまた、コイン収納部の底面は、当該コインケース本体の略中央部から離れた側壁から当該中央部に向けて傾斜しているため、投入口から投入されたコインは、底面の傾斜に倣って傾いた状態で一列（場合によっては複数の列）に積み重ねられる。したがって、コイン収納部の高さを、予めコインが所定枚数（例えば、２５枚、５０枚、１００枚等）重ねられた際の長さに合わせて設定しておくことで、貯まったコインの枚数（金額）を簡単に知ることができる。また、コインがコイン収納部の上部まで重ねられる前であっても、コインが整列しているので枚数を容易に確認することができる。
【００１０】
本発明にかかる貯金箱は、前記コインケース本体及び蓋体の少なくとも一方を、透過性を有する部材から形成することができる。このようにすることで、前記利点に加え、コイン収納部に収納されたコインの様子を外部から簡単に目視することができる。
【００１１】
また、前記コイン収納部の底面は、当該コインケース本体の略中央部が高く、当該略中央部とは離れた側壁側が低くなるよう傾斜させることができる。このように構成することで、コイン収納部に収容されたコインを、前記側壁に沿って（当接させた状態で）安定して積み重ねることができる。この構成の場合、前記各々のコイン収納部を仕切る仕切部をさらに備えていてもよい。
【００１２】
そしてまた、本発明にかかる貯金箱が、前記各々のコイン収納部を仕切る仕切部をさらに備えている場合、前記コイン収納部の底面は、当該コインケース本体の略中央部が低く、当該略中央部とは離れた側壁側が高くなるよう傾斜させることができる。このように構成することで、コイン収納部に収容されたコインを、前記仕切部に沿って（当接させた状態で）安定して積み重ねることができる。
【００１３】
さらにまた、本発明にかかる貯金箱は、前記蓋体の、前記各々のコイン収納部に対向する部分を、前記底面の傾斜角度と略同一の角度で傾斜させた構成とすることができる。このようにすることで、コインがコイン収納部の上限まで投入された際に、蓋体と、コイン収納部の最上部に位置しているコインとの間に無駄な空間が形成されることを防止することができる。したがって、コインがコイン収納部に予め決められた枚数で投入された後、当該コイン収納部にコインがそれ以上投入されることを防止することができる。したがって、コインの枚数をより正確に把握することができる。
【００１４】
前記蓋体は、前記コインケース本体に対し着脱可能に取付けることができる。また、蓋体は、前記コインケース本体に一体に形成されていてもよい。蓋体がコインケース本体に一体に形成されていている場合は、例えば、コインケース本体の底面部分が、コインケース本体から着脱可能となるようにしてもよく、コインケース本体の底面部分にコイン取出し用の開閉部を形成してもよい。
【００１５】
そしてまた、前記蓋体は、前記コインケース本体に取付けられた位置を基準として、当該蓋体の略中心部を支点として所定角度回転させて、当該コインケース本体に取付け可能であり、当該蓋体を所定角度回転させて当該コインケース本体に取付けることで、前記投入口から各々のコイン収納部にコインを投入可能となるようにしてもよい。
【００１６】
また、本発明にかかる貯金箱は、前記コイン収納部に収納されたコインが、前記投入口から外部に排出されることを防止する排出防止フックをさらに備えることもできる。
【発明の効果】
【００１７】
本発明にかかる貯金箱は、投入口からコイン収納部に投入されたコインが上下方向に少なくとも一列に重なった状態で整列して収納されるため、貯まったコインの枚数（金額）を簡単に知ることができる。
【発明を実施するための最良の形態】
【００１８】
次に、本発明の好適な実施の形態にかかる貯金箱について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１９】
図１は、本発明の実施の形態にかかる貯金箱の斜視図、図２は、図１に示す貯金箱の左側面図、図３は、図１に示す貯金箱の平面図、図４は、図３に示すIV−IV線に沿った断面図、図５は、図３に示すＶ−Ｖ線に沿った断面図、図６は、図３に示すVI−VI線に沿った断面図であって、コインが収容されている状態を示す図、図７は、図１に示す貯金箱の分解斜視図、図８は、図７に示す貯金箱を矢印Ａ方向から見た側面図、図９は、本発明の実施の形態にかかる貯金箱にコインを投入する状態を示す斜視図、図１０は、本発明の実施の形態にかかる貯金箱にコインを投入する状態を示す平面図、図１１は、図１０に示すXI−XI線に沿った断面図である。なお、前記各図では、説明を判り易くするため、各部材の厚さやサイズ、拡大・縮小率等は、実際のものとは一致させずに記載した。
【００２０】
図１〜図１１に示すように、本実施の形態にかかる貯金箱１は、角部にＲが付いた略四角柱の箱型形状を有し且つ内部にコイン１００が収納されるコインケース本体１０と、コインケース本体１０の上部に着脱可能に配設される蓋体５０を備えている。コインケース本体１０及び蓋体５０は、透過性を有する（中身が透けて見える）樹脂から形成されており、貯金箱１内に収納されたコイン１００が外部から確認できるようになっている。
【００２１】
コインケース本体１０の内部の略中央部には、上下方向に立設された略四角柱形状の仕切部２０が形成されている。コインケース本体１０の内部は、仕切部２０とコインケース本体１０の側壁１３とによって、４つのコイン収納部１１Ａ、１１Ｂ、１１Ｃ及び１１Ｄに仕切られており、これらのコイン収納部１１Ａ、１１Ｂ、１１Ｃ及び１１Ｄは、仕切部２０を中心として放射状に各々配置されている。そして、仕切部２０の上面は、特に図１、図５及び図６等に示すように、後述するコイン収納部１１Ａ、１１Ｂ、１１Ｃ及び１１Ｄの各々の底面１２Ａ、１２Ｂ、１２Ｃ及び１２Ｄの傾斜角度と略同一の角度で傾斜している。
【００２２】
コイン収納部１１Ａ、１１Ｂ、１１Ｃ及び１１Ｄは、複数のコイン１００を上下方向に一列に重ねて収納可能な略円筒形を有しており、各々の底面１２Ａ、１２Ｂ、１２Ｃ及び１２Ｄは、コイン収納部１１Ａ、１１Ｂ、１１Ｃ及び１１Ｄに収容される特定のコイン１００（例えば、１０円玉、１００円玉、５００円玉など、１種類のコイン）の円形よりも若干径が大きいが、ほぼ同様の形状となるように設計されている。この構成により、コイン収納部１１Ａ、１１Ｂ、１１Ｃ及び１１Ｄは、複数のコイン１００を上下方向に一列に重ねて収納可能となっている。
【００２３】
コイン収納部１１Ａ、１１Ｂ、１１Ｃ及び１１Ｄの各々の底面１２Ａ、１２Ｂ、１２Ｃ及び１２Ｄは、特に図４〜図６等に示すように、コインケース本体１０の略中央部からコインケース本体１０の側壁１３に向けて、前記略中央部側が高く、側壁１３側が低くなるように傾斜されている。このため、コイン収納部１１Ａ、１１Ｂ、１１Ｃ及び１１Ｄに投入されたコイン１００は、底面１２Ａ、１２Ｂ、１２Ｃ及び１２Ｄの傾斜に倣って傾き、側壁１３に当接した状態で一列に整列して積み重ねられる。なお、底面１２Ａ、１２Ｂ、１２Ｃ及び１２Ｄは、コインケース本体１０の側壁１３は、底面１２Ａ、１２Ｂ、１２Ｃ及び１２Ｄよりも下方に延出しており、コインケース本体１０は、側壁１３の下端面によって安定した状態で支持されている。
【００２４】
コイン収納部１１Ａ、１１Ｂ、１１Ｃ及び１１Ｄの高さは、特定のコイン１００が所定枚数（例えば、２５枚、５０枚、１００枚等）重ねられた際の長さより若干長いが、ほぼ同様の長さとなるように設計されている。したがって、コイン１００がコイン収納部１１Ａ、１１Ｂ、１１Ｃ及び１１Ｄの上端まで積み重ねられた際には、前記所定枚数のコイン１００が貯められたことになる。また、コイン１００がコイン収納部１１Ａ、１１Ｂ、１１Ｃ及び１１Ｄの上端まで重ねられる前であっても、コイン１００が整列しているので、貯められたコイン１００の枚数を容易に確認することができる。なお、コイン収納部１１Ａ、１１Ｂ、１１Ｃ及び１１Ｄに、特定の１種類のコイン１００のみを収納するようにしておけば、貯まった金額を簡単に算出することができる。
【００２５】
また、コインケース本体１０の上部の互いに約１８０度ずれた位置（互いに対向する位置）には、後に詳述する蓋体５０に形成された固定用爪６１Ａ及び６１Ｂが着脱可能に各々係合する係合孔２１Ａ及び２１Ｂが各々形成されている。
【００２６】
蓋体５０は、特に図４〜図６に示すように、各々のコイン収納部１１Ａ、１１Ｂ、１１Ｃ及び１１Ｄに対向する対向部分５２Ａ、５２Ｂ、５２Ｃ及び５２Ｄが、底面１２Ａ、１２Ｂ、１２Ｃ及び１２Ｄの傾斜角度と略同一の角度で傾斜している。この構成により、コイン１００がコイン収納部１１Ａ、１１Ｂ、１１Ｃ及び１１Ｄの上限まで投入された際に、蓋体５０と、コイン収納部１１Ａ、１１Ｂ、１１Ｃ及び１１Ｄの最上部に位置しているコイン１００との間に無駄な空間が形成されることを防止することができる。したがって、コイン１００がコイン収納部１１Ａ、１１Ｂ、１１Ｃ及び１１Ｄに予め決められた枚数で投入された後は、コイン１００がそれ以上投入されることがなく、コイン１００の積層枚数を正確に把握することができる。
【００２７】
また、蓋体５０には、コイン収納部１１Ａ、１１Ｂ、１１Ｃ及び１１Ｄにコイン１００を各々投入可能な投入口５１Ａ、５１Ｂ、５１Ｃ及び５１Ｄが、蓋体５０の略中央部を中心として放射状に各々形成されている。これらの投入口５１Ａ、５１Ｂ、５１Ｃ及び５１Ｄを画定する縁部には、特に図１及び図３等に示すように、蓋体５０の角部側から中央部に向けて延出し、コイン１００が投入される際のガイドとなる第１のガイド部５４Ａ、５４Ｂ、５４Ｃ及び５４Ｄと、第１のガイド部５４Ａと第１のガイド部５４Ｂとの間、第１のガイド部５４Ｂと第１のガイド部５４Ｃとの間、第１のガイド部５４Ｃと第１のガイド部５４Ｄとの間、第１のガイド部５４Ｄと第１のガイド部５４Ａとの間に各々形成され且つ中央部に向けて延出し、コイン１００が投入される際のガイドとなる第２のガイド部５５Ａ、５５Ｂ、５５Ｃ及び５５Ｄが配設されている。
【００２８】
第１のガイド部５４Ａ、５４Ｂ、５４Ｃ及び５４Ｄは、平面視で、蓋体５０の角部側が底辺となり、蓋体５０の中央部側が頂点となる略三角形状を有し、特に図２及び図４等に示しように、頂点に行くにしたがって徐々に下方に傾斜していると共に、第２のガイド部５５Ａ、５５Ｂ、５５Ｃ及び５５Ｄに近づくに従って徐々に下方に傾斜した傾斜面を有している。また、第２のガイド部５５Ａ、５５Ｂ、５５Ｃ及び５５Ｄは、平面視で、蓋体５０の中央部側が半円形状を有し、特に図２に示すように、第１のガイド部５４Ａ、５４Ｂ、５４Ｃ及び５４Ｄに近づくに従って徐々に下方に傾斜した傾斜面を有している。
【００２９】
上述した構成により、特に図９〜図１１に示すように、例えば、投入口５１Ｄからコイン収納部１１Ｄにコイン１００が投入される際、コイン１００は、第１のガイド部５４Ａ及び５４Ｃの上面、第２のガイド部５５Ｃ及び５５Ｄの下面、仕切部２０の上面、蓋体５０の裏面にガイドされて、投入口５１Ｄからコイン収納部１１Ｄに投入される。したがって、コイン１００は、コイン収納部１１Ｄに投入された際に、底面１２Ｄの傾斜に倣ってさらに整列し易くなる。なお、他の投入口５１Ａ〜５１Ｃに投入されたコイン１００も同様である。
【００３０】
また、蓋体５０の外周部の互いに約１８０度ずれた位置（互いに対向する位置）には、コインケース本体１０に形成されている係合孔２１Ａ及び２１Ｂに着脱可能に係合する固定用爪６１Ａ及び６１Ｂが、下方に向けて延出形成されている。さらにまた、蓋体５０の裏面（下面）であって、投入口５１Ａ、５１Ｂ、５１Ｃ及び５１Ｄの近傍には、コイン収納部１１Ａ、１１Ｂ、１１Ｃ及び１１Ｄに収納されたコイン１００が、投入口５１Ａ、５１Ｂ、５１Ｃ及び５１Ｄから外部に排出されることを防止する排出防止フック５３Ａ、５３Ｂ、５３Ｃ及び５３Ｄが形成されている。
【００３１】
以上説明したように、本実施の形態にかかる貯金箱１は、任意の投入口５１Ａ、５１Ｂ、５１Ｃまたは５１Ｄからコイン１００を投入すると、投入口５１Ａ、５１Ｂ、５１Ｃまたは５１Ｄに対応するコイン収納部１１Ａ、１１Ｂ、１１Ｃまたは１１Ｄにコイン１００が落下し、落下したコインは、底面１２Ａ、１２Ｂ、１２Ｃまたは１２Ｄの傾斜に倣って上下に１列に積み重なった状態で整列する。貯金箱１は、透過性を有する（中身が透けて見える）樹脂から形成されているため、この状態は、貯金箱１の外から見ることができる。したがって、貯められたコイン１００の枚数を容易に確認することができ、貯まった金額を簡単に算出することができる。なお、貯金箱１からコイン１００を取り出したい時は、固定用爪６１Ａ及び６１Ｂと、係合孔２１Ａ及び２１Ｂとの係合を解除し、コインケース本体１０から蓋体５０を取外せば、コイン１００を簡単に取出すことができる。
【００３２】
なお、本実施の形態では、コイン収納部１１Ａ、１１Ｂ、１１Ｃ及び１１Ｄの底面１２Ａ、１２Ｂ、１２Ｃ及び１２Ｄを、コインケース本体１０の略中央部からコインケース本体１０の側壁１３に向けて、コインケース本体１０の略中央部側が高く、側壁１３側が低くなるように傾斜させ、蓋体５０の対向部分５２Ａ、５２Ｂ、５２Ｃ及び５２Ｄを底面１２Ａ、１２Ｂ、１２Ｃ及び１２Ｄの傾斜角度と略同一の角度で傾斜させた場合について説明したが、これに限らず、底面１２Ａ、１２Ｂ、１２Ｃ及び１２Ｄは、例えば、図１２及び図１３に示すように、底面１２Ａ、１２Ｂ、１２Ｃ及び１２Ｄを、コインケース本体１０の略中央部からコインケース本体１０の側壁１３に向けて、コインケース本体１０の略中央部側が低く、側壁１３側が高くなるように傾斜させ、蓋体５０の対向部分５２Ａ、５２Ｂ、５２Ｃ及び５２Ｄを底面１２Ａ、１２Ｂ、１２Ｃ及び１２Ｄの傾斜角度と略同一の角度で傾斜させた構成であってもよい。この構成の場合、コイン収納部１１Ａ、１１Ｂ、１１Ｃ及び１１Ｄに投入されたコイン１００は、底面１２Ａ、１２Ｂ、１２Ｃ及び１２Ｄの傾斜に倣って傾き、仕切部２０に当接した状態で一列に整列して積み重ねられる。
【００３３】
また、本実施の形態では、コインケース本体１０の略中央部に仕切部２０を形成した場合について説明したが、これに限らず、例えば、図１４及び図１５に示すように、仕切部２０を形成しなくてもよい。この場合、底面１２Ａ、１２Ｂ、１２Ｃ及び１２Ｄを、コインケース本体１０の略中央部からコインケース本体１０の側壁１３に向けて、コインケース本体１０の略中央部側が高く、側壁１３側が低くなるように傾斜させ、蓋体５０の対向部分５２Ａ、５２Ｂ、５２Ｃ及び５２Ｄを底面１２Ａ、１２Ｂ、１２Ｃ及び１２Ｄの傾斜角度と略同一の角度で傾斜させることが望ましい。
【００３４】
そしてまた、本実施の形態では、各々のコイン収納部１１Ａ、１１Ｂ、１１Ｃ及び１１Ｄに対し、１つの投入口５１Ａ、５１Ｂ、５１Ｃ及び５１Ｄを各々割り当てた場合について説明したが、これに限らず、例えば、図１６に示すように、蓋体５０を蓋体５０の中心を通る線に対し線対称に形成し、この蓋体５０に投入口５１Ａを１つ設け、蓋体５０をコインケース本体１０に対して、蓋体５０の略中心部を支点として９０度ずつ回転させることで、投入口５１Ａを各々のコイン収納部１１Ａ、１１Ｂ、１１Ｃ及び１１Ｄに、順次割り当ててもよい。
【００３５】
さらにまた、本実施の形態では、投入口５１Ａ〜５１Ｄを画定する縁部に、第１のガイド部５４Ａ〜５４Ｄと、第２のガイド部５５Ａ〜５５Ｄを形成した場合について説明したが、これに限らず、第１のガイド部５４Ａ〜５４Ｄ及び第２のガイド部５５Ａ〜５５Ｄは必ずしも形成しなくてもよい。
【００３６】
また、本実施の形態では、コインケース本体１０内に、４つのコイン収納部１１Ａ、１１Ｂ、１１Ｃ及び１１Ｄを形成した場合について説明したが、これに限らず、コインケース本体１０内には、２つ、３つ、５つ以上等、複数のコイン収納部を形成することができる。
【００３７】
さらにまた、貯金箱１の外観は、コイン収納部の形成数や配置に応じて、例えば、図１７に示すように、平面視で円形であってもよく、図１８に示すように、平面視で略三角形や略四角形であってもよく、図１９に示すように、平面視で略六角形以上の多角形でもよい。また、これらのバリエーションにおいても、仕切部２０は、任意に設置することができる。さらにまた、これらのバリエーションにおいて、蓋体５０が、蓋体５０の中心を通る線に対し線対称である場合、蓋体５０は、コインケース本体１０に取付けられた位置を基準として、蓋体５０の略中心部を支点として所定角度回転させて、コインケース本体１０に取付け可能であるため、投入口の設置数をコイン収納部の設置数よりも少なくしても、蓋体５０を所定角度回転させてコインケース本体１０に取付けることで、各々のコイン収納部に投入口を割り当てることができる。なお、符号１１Ｅ〜１１Ｈは、コイン収納部１１Ａ、１１Ｂ、１１Ｃ及び１１Ｄと同様のコイン収納部であり、符号１１Ｊ及び１１Ｋ（図１９（３）参照）は、コイン１００が２列に上下方向に整列して積層されるコイン収納部である。
【００３８】
また、本実施の形態では、コインケース本体１０に対し、蓋体５０を着脱可能に構成した場合について説明したが、これに限らず、コインケース本体１０と蓋体５０は、固定されていてもよく、一体的に形成されていてもよい。この場合、例えば、コインケース本体１０の底面に開閉可能なコイン取出し用の開閉部を形成してもよい。
【００３９】
そしてまた、本発明にかかる貯金箱１は、図２０に示すように、上下方向に複数を積み上げることができる。
【図面の簡単な説明】
【００４０】
【図１】本発明の実施の形態にかかる貯金箱の斜視図である。
【図２】図１に示す貯金箱の左側面図である。
【図３】図１に示す貯金箱の平面図である。
【図４】図３に示すIV−IV線に沿った断面図である。
【図５】図３に示すＶ−Ｖ線に沿った断面図である。
【図６】図３に示すVI−VI線に沿った断面図であって、コインが収容されている状態を示す図である。
【図７】図１に示す貯金箱の分解斜視図である。
【図８】図７に示す貯金箱を矢印Ａ方向から見た側面図である。
【図９】本発明の実施の形態にかかる貯金箱にコインを投入する状態を示す斜視図である。
【図１０】本発明の実施の形態にかかる貯金箱にコインを投入する状態を示す平面図である。
【図１１】図１０に示すXI−XI線に沿った断面図である。
【図１２】本発明の他の実施の形態にかかる貯金箱の斜視図である。
【図１３】図１２に示す貯金箱の図５に対応する断面図である。
【図１４】本発明の他の実施の形態にかかる貯金箱の斜視図である。
【図１５】図１４に示す貯金箱の図６に対応する断面図である。
【図１６】本発明の他の実施の形態にかかる貯金箱の平面図である。
【図１７】本発明の他の実施の形態にかかるコインケース本体を簡略化して示す平面図である。
【図１８】本発明の他の実施の形態にかかるコインケース本体を簡略化して示す平面図である。
【図１９】本発明の他の実施の形態にかかるコインケース本体を簡略化して示す平面図である。
【図２０】本発明の他の実施の形態にかかる貯金箱の斜視図である。
【符号の説明】
【００４１】
１    貯金箱
１０    コインケース本体
１１Ａ、１１Ｂ、１１Ｃ、１１Ｄ    コイン収納部
１２Ａ、１２Ｂ、１２Ｃ、１２Ｄ    底面
２０    仕切部
５０    蓋体
５１Ａ、５１Ｂ、５１Ｃ、５１Ｄ    投入口
５３Ａ、５３Ｂ、５３Ｃ、５３Ｄ    排出防止フック
１００    コイン
【図１】
2010088547.tif 000003
【図２】
2010088547.tif 000004
【図３】
2010088547.tif 000005
【図４】
2010088547.tif 000006
【図５】
2010088547.tif 000007
【図６】
2010088547.tif 000008
【図７】
2010088547.tif 000009
【図８】
2010088547.tif 000010
【図９】
2010088547.tif 000011
【図１０】
2010088547.tif 000012
【図１１】
2010088547.tif 000013
【図１２】
2010088547.tif 000014
【図１３】
2010088547.tif 000015
【図１４】
2010088547.tif 000016
【図１５】
2010088547.tif 000017
【図１６】
2010088547.tif 000018
【図１７】
2010088547.tif 000019
【図１８】
2010088547.tif 000020
【図１９】
2010088547.tif 000021
【図２０】
2010088547.tif 000022